(57)【要約】【課題】一般家庭で使用される床移動型かつ肩掛け可能な電気掃除機において、使用性の高い電気掃除機を提供することを目的とする。【解決手段】塵埃を捕集する集塵室２を有する本体１と、前記集塵室２に連通する本体接続部５を有するホース６と、使用者が肩に掛けるベルト１７と、前記本体１に配され前記ベルト１７を装着する肩掛け用ベルト保持部１３とを備え、前記ベルト１７を使用者が肩に掛け前記本体１を被掃除面より持ち上げた際には、前記ホース６の本体接続部５の長手方向の中心軸が、被掃除面に対し略４５°〜略９０°の範囲に位置するもので、肩掛け使用時に集塵室２からホース６への塵埃の逆流を防止できる。【選択図】  図６
2004215904.tif 000002
【特許請求の範囲】
【請求項１】
吸引風を発する電動送風機と前記電動送風機の吸気上流側に配され塵埃を捕集する集塵室を有する本体と、前記集塵室の吸気口部に接続される本体接続部を有するホースと、使用者が肩に掛けるベルトと、前記本体に配され前記ベルトを装着する肩掛け用ベルト保持部とを備え、前記ベルトを使用者が肩に掛け前記本体を被掃除面より持ち上げた際には、前記本体接続部の長手方向の中心軸が、被掃除面に対し略４５°〜略９０°の範囲に位置する電気掃除機。
【請求項２】
本体は走行手段を有し、前記走行手段が被掃除面に接地した本体走行時には、本体接続部の長手方向の中心軸は被掃除面と略平行である請求項１記載の電気掃除機。
【請求項３】
本体外郭形状の大きさの比率が、左右方向の長さ／前後方向の長さ＝５０％〜１５０％かつ高さ方向の長さ／（左右方向の長さ、前後方向の長さの長い方）≦６０％である請求項１または２記載の電気掃除機。
【請求項４】
電動送風機に電源を供給する２次電池を、本体内に設けた請求項１〜３のいずれか１項に記載の電気掃除機。
【請求項５】
２次電池を本体後方部に備えた請求項４記載の電気掃除機。
【請求項６】
集塵室は、吸引風と前記吸引風に含まれている塵埃とを旋回させることにより遠心分離させる遠心分離室と、前記遠心分離室にて分離された塵埃を堆積させる堆積室とから構成される請求項１〜５のいずれか１項に記載の電気掃除機。
【請求項７】
本体側面に集塵室を視認できる開口部を設け、本体外郭より内方かつ前記開口部を形成する壁面に、肩掛け用ベルト保持部を設けた請求項１〜６のいずれか１項に記載の電気掃除機。
【請求項８】
肩掛け用ベルト保持部は、本体外郭を形成する上本体と下本体とで挟持されてなる請求項７記載の電気掃除機。
【請求項９】
肩掛け用ベルト保持部を有する壁面は、上下方向に湾曲してなる請求項７または８記載の電気掃除機。
【請求項１０】
本体内部に肩掛け用ベルトを収納するベルト収納室を備えた請求項１〜９のいずれか１項に記載の電気掃除機。
【請求項１１】
ベルト収納室内にベルトを巻き取ることができるベルト保持部を配置した請求項１０記載の電気掃除機。
【発明の詳細な説明】
【０００１】
【発明の属する技術分野】
本発明は、一般家庭で使用される床移動型かつ肩掛け可能な電気掃除機に関するものである。
【０００２】
【従来の技術】
従来、この種の本体１は、図９に示すように、床移動型の使用状態から、肩掛け使用状態へ変更する時は、被掃除面に対する本体１の状態は変えずに、そのままの状態で持ち上げられ使用されるのが一般的であった（例えば、特許文献１参照。）。
【０００３】
【特許文献１】
実開平５−９５４４４号公報（図４）
【０００４】
【発明が解決しようとする課題】
しかしながらこのような電気掃除機にあっては、肩掛け使用時にホース６の本体接続部５が被掃除面に対し平行から下向きになる可能性が高いため、吸引風が無くなると集塵室に一度入った塵埃が逆流し易く、ホース６内に前記塵埃が再度流出してしまうという課題があった。
【０００５】
また、肩掛け使用時に使用者の身体からの、本体１の突出部分が大きくなって扱いがしにくくなる課題もあった。
【０００６】
本発明は上記課題を解決するもので、一般家庭で使用される床移動型かつ肩掛け可能な電気掃除機において、使用性の高い電気掃除機を提供することを目的とする。
【０００７】
【課題を解決するための手段】
上記目的を達成するために本発明は、吸引風を発する電動送風機と前記電動送風機の吸気上流側に配され塵埃を捕集する集塵室を有する本体と、前記集塵室の吸気口部に接続される本体接続部を有するホースと、使用者が肩に掛けるベルトと、前記本体に配され前記ベルトを装着する肩掛け用ベルト保持部とを備え、前記ベルトを使用者が肩に掛け前記本体を被掃除面より持ち上げた際には、前記本体接続部の長手方向の中心軸が、被掃除面に対し略４５°〜略９０°の範囲に位置するもので、ベルトを使用者が肩に掛け本体を被掃除面より持ち上げた際には、本体接続部の長手方向の中心軸が、被掃除面に対し略４５°〜略９０°の範囲に位置するため、肩掛け使用時に集塵室からホースへの塵埃の逆流を防止できるとともに、肩掛け時の使用者の体からの本体の突出寸法は、走行時の本体高さ寸法となるため、肩掛け時の使用者の体からの本体の突出寸法を抑えながらも、走行時には本体は安定して走行できるため、使用性を向上できる。
【０００８】
【発明の実施の形態】
本発明の請求項１記載の発明は、吸引風を発する電動送風機と前記電動送風機の吸気上流側に配され塵埃を捕集する集塵室を有する本体と、前記集塵室の吸気口部に接続される本体接続部を有するホースと、使用者が肩に掛けるベルトと、前記本体に配され前記ベルトを装着する肩掛け用ベルト保持部とを備え、前記ベルトを使用者が肩に掛け前記本体を被掃除面より持ち上げた際には、前記本体接続部の長手方向の中心軸が、被掃除面に対し略４５°〜略９０°の範囲に位置するもので、ベルトを使用者が肩に掛け本体を被掃除面より持ち上げた際には、本体接続部の長手方向の中心軸が、被掃除面に対し略４５°〜略９０°の範囲に位置するため、肩掛け使用時に集塵室からホースへの塵埃の逆流を防止できるとともに、肩掛け時の使用者の体からの本体の突出寸法は、走行時の本体高さ寸法となるため、肩掛け時の使用者の体からの本体の突出寸法を抑えながらも、走行時には本体は安定して走行できるため、使用性を向上できる。
【０００９】
本発明の請求項２記載の発明は、本体は走行手段を有し、前記走行手段が被掃除面に接地した本体走行時には、本体接続部の長手方向の中心軸は被掃除面と略平行であるもので、肩掛け時の使用者の体からの本体の突出寸法は、走行時の本体高さ寸法となるため、肩掛け時の使用者の体からの本体の突出寸法を抑えながらも、走行時には本体は安定して走行できるため、使用性を向上できる。
【００１０】
本発明の請求項３記載の発明は、本体外郭形状の大きさの比率が、左右方向の長さ／前後方向の長さ＝５０％〜１５０％かつ高さ方向の長さ／（左右方向の長さ、前後方向の長さの長い方）≦６０％であるもので、肩掛け時の使用者の体からの本体の突出寸法を抑えながらも、走行時には本体は安定して走行できるため、使用性を向上できる。
【００１１】
本発明の請求項４記載の発明は、電動送風機に電源を供給する２次電池を、本体内に設けたもので、電源コードがないため、肩掛け時に本体の移動がスムースにでき、使用性を向上できる。
【００１２】
本発明の請求項５記載の発明は、２次電池を本体後方部に備えたもので、肩掛け時には、本体の重心が下部になるため本体が安定し使用性を向上できる。
【００１３】
本発明の請求項６記載の発明は、集塵室は、吸引風と前記吸引風に含まれている塵埃とを旋回させることにより遠心分離させる遠心分離室と、前記遠心分離室にて分離された塵埃を堆積させる堆積室とから構成されるもので、集塵部内の塵埃は重力の影響を受けず遠心分離室から放り出され蓄積されるため、走行時および肩掛け時において、集塵室の向きが変わり重力の作用方向が変わっても遠心分離可能で安定した集塵性能を発揮できる。
【００１４】
本発明の請求項７記載の発明は、本体側面に集塵室を視認できる開口部を設け、本体外郭より内方かつ前記開口部を形成する壁面に、肩掛け用ベルト保持部を設けたもので、ベルト保持部を本体外郭から突出させず、デザイン性を損なわずに構成できるとともに、本体の小型化も実現できる。
【００１５】
本発明の請求項８記載の発明は、肩掛け用ベルト保持部は、本体外郭を形成する上本体と下本体とで挟持されてなるもので、ベルト保持部を単純形状で構成でき、低価格化を実現できる。
【００１６】
本発明の請求項９記載の発明は、肩掛け用ベルト保持部を有する壁面は、上下方向に湾曲してなるもので、ベルトの上下方向のぶれを防止できるため、デザイン性を損なわずに使用性を向上できる。
【００１７】
本発明の請求項１０記載の発明は、本体内部に肩掛け用ベルトを収納するベルト収納室を備えたもので、走行時に不要な肩掛けベルトを本体内に収納することにより、肩掛けベルトの紛失を防止し、かつ必要な時には直ぐに取り出せ使用性を向上できる。
【００１８】
本発明の請求項１１記載の発明は、ベルト収納室内にベルトを巻き取ることができるベルト保持部を配置したもので、ベルト収納時にベルトを外さずに本体内部にコンパクトに収納でき、ベルト使用時には容易に直ぐ取り出せ使用性が向上できる。
【００１９】
【実施例】
（実施例１）
以下、本発明の第１の実施例を図に基づいて説明する。
【００２０】
図１〜図４に示すように、吸引風を発する電動送風機２９を内蔵する掃除機本体１（以下、本体１とする。）には、前記電動送風機２９の吸気上流側の本体１内に塵埃を捕集する集塵室２が配置され、透明または半透明の可視性を材料にて形成されている。また、前記集塵室２の吸気口部３に本体接合部５が連通するように、手元ハンドル４と前記本体接合部５を有するホース６が前記本体１に接続され、また前記手元ハンドル４側には延長管７を介して、塵埃を吸引する吸込具８が接続されている。本体１は、走行手段である底面に枢支された１個の前輪キャスター９と、本体１の後部両側面に回転自在に取り付けた一対の後輪１０とを備え、前記本体１の後方下内部には、電動送風機２９へ電源を供給する２次電池１１を備えている。
【００２１】
本体１の両側面には、透明または半透明の集塵室２の内部を見ることができるように開口部１２が設けられ、前記開口部１２を形成する壁面である中本体１６には、金属製丸棒で形成された肩掛け用ベルト保持部１３を有し、上下方向に湾曲状の中本体１６を介して、上本体１４と下本体１５にて挟み込まれ固定されている。また、肩掛け使用時には、肩掛けベルト１７を肩掛けベルト保持部１３に引っ掛けて使用できるようにしている。
【００２２】
本体１の後方上部には、肩掛けベルト１７不使用時に収納可能なベルト収納室１８を備え、本体上１４に軸支された蓋体１９で開閉自在に覆われている。
【００２３】
次に、集塵室２について詳しく説明する。図５に示すように、吸気口部３より侵入した塵埃を含んだ吸引風は、略円筒状の遠心分離室２０の内壁に沿って旋回し、遠心分離作用により吸引風と塵埃は分離され、分離した塵埃は遠心分離室２０の下方の堆積室２１に放り出され蓄積される。一方、吸引風はフィルタ２２を通過した後、吸引口２３を通過して、電動送風機２９へと吸引されていく。また上本体１４には本体蓋２４が開閉自在に軸支されており、前記集塵部２１内に塵埃が蓄積された際には、前記本体蓋２４を上方へ集塵室２を覆った状態より略９０°回動させた後、前記集塵室２を本体１より上方へ取りだし、さらにロック２５を開くことで、前記集塵部２１に蓄積した塵埃を廃棄可能である。
【００２４】
本体寸法は、前後方向の長さ（ａ）＝３４０ｍｍ、左右方向の長さ（ｂ）＝２５５ｍｍ、高さ（ｃ）＝１６８ｍｍとし、各寸法比は、左右方向の長さ（ｂ）／前後方向の長さ（ａ）＝７５％、高さ（ｃ）／前後方向の長さ（ａ）＝５０％としている。
【００２５】
上記構成による作用は以下の通りである。
【００２６】
肩掛け時の状態を図６に示す。肩掛け使用時には、肩掛けベルト１７を肩掛けベルト保持部１３に引っ掛けて使用するが、前記肩掛けベルト保持部１３は、本体１の前後方向の長さの中心より本体接合部５側で、前記本体１の側方の対向する両側２箇所に、本体１の上下方向に金属製丸棒を配し設け、前記肩掛けベルト１７が前記本体接合部５側に配置するように構成してある。
【００２７】
また、電動送風機２９に電源を供給する２次電池１１を本体１内に備えていることで、電源コードが不用であるため、肩掛け時に本体１の移動がスムースで、さらに、２次電池１１を本体１後部に備えているため、肩掛け時には本体１の重心が下部になるため本体１が安定し使用性を向上できるものである。
【００２８】
そのため肩掛け時には、ホース６の本体接続部５の長手方向の中心軸が被掃除面に対し略９０°（使用者の前方側の角度）となるため、吸気口部３からホース６への塵埃の逆流を防ぐことができ、肩掛け時の使用者２６の体からの本体１突出寸法は、走行時の本体高さ寸法（ｃ）となるため、突出寸法を抑えても走行時には本体１は安定し使用性を向上できる。
【００２９】
なお、本実施例においては、肩掛け時には、ホース６の本体接続部５の長手方向の中心軸が、被掃除面に対し略９０°となっているが、吸気口部３からホース６への塵埃の逆流を防ぐという機能を満たすためには、略４５°（使用者の前方側の角度）以上であれば十分で、その位置になるように、使用者が肩に掛ける肩掛けベルト１７に位置を変え、片手で本体１をかかえても使用可能である。
【００３０】
また、肩掛け時の使用者２６の身体からの本体１突出寸法は、走行時の本体高さ寸法（ｃ）となるため、本体１の寸法比を、左右方向の長さ（ｂ）／前後方向の長さ（ａ）＝７５％かつ、高さ（ｃ）／前後方向の長さ（ａ）＝５０％とすることにより、肩掛け時には使用者２６の身体から本体１の突出が少なく、走行時には本体１は安定して使用性を向上できるものである。
【００３１】
また、集塵室２において、吸引風と、前記吸引風に含まれている塵埃とを旋回することにより遠心分離させる遠心分離室２０と、分離された塵埃を貯める堆積室２１の２室を備えており、堆積室２１内の塵埃は重力の影響を受けず遠心分離室２０から放り出され蓄積されるため、走行時と肩掛け時で集塵室２の向きが変わり重力の作用方向が変わっても遠心分離可能である。
【００３２】
また、集塵室２が透明材料または半透明材料で形成されるとともに、本体１側面に集塵室２の内部を視認できる開口部１２を備え、前記開口部１２を形成する壁面内側に肩掛け用ベルト保持部１３を設けているため、ベルト保持部１３を本体１外郭から突出させず、デザイン性を損なわずに構成できるものである。
【００３３】
さらに、集塵室２の内部を視認できる開口部１２を、上本体１４と下本体１５の間に空間を持たせ形成し、前記空間に肩掛け用ベルト保持部１３を上下から挟み込み保持するため、ベルト保持部１３を金属製丸棒のような単純形状で構成でき、製品価格を抑制できるものである。
【００３４】
加えて、中本体１６により、集塵室２内部を見る開口部１２の一壁面が湾曲しており、開口部１２が単純コの字形状に比べて、肩掛けベルト１７の遊び（ｄ）＋（ｅ）が小さくなるため、肩掛けベルト１７の上下方向のぶれが防止でき、デザイン性を損なわずに使用性を向上できるものである。
【００３５】
また、本体１内部にベルト収納室１８を備えているため、走行時には不用な肩掛けベルト１７を肩掛け用ベルト保持部１３から取り外し、ベルト収納室１８内に収納することにより、肩掛けベルト１７の紛失を防止し、かつ必要な時には直ぐに取り出せ使用性を向上できるものである。
【００３６】
（実施例２）
次に、本発明の第２の実施例を、図７、図８を用いて説明する。なお、第１の実施例と同一構成部品については同一符号を付してその説明を省略する。
【００３７】
本体１の片側面には、ベルト収納室１８を有し、前記ベルト収納室１８内にベルト保持部１３が配置されている。前記ベルト保持部１３は、ゼンマイバネ２８と筒形状のドラム体２９で構成されており、肩掛けベルト１７の一端は前記ドラム体２９に固着されている。
【００３８】
上記構成における、動作、作用について説明する。
【００３９】
ベルト保持部１３は、ゼンマイバネ２８と筒形状のドラム体２９で構成されているため、肩掛けベルト１７不使用時には、ゼンマイバネ２８によりドラム体２９が時計周り方向に自動的に回転し、前記ベルト保持部１３が肩掛けベルト１７を巻き取る。また肩掛けベルト１７使用時にはドラム体２９が反時計周り方向に回転し、容易に引き出す事が可能である。このように、巻き取りにより本体１からベルト１７を出し入れ自在であるため、ベルト１７収納時に前記ベルト１７をベルト保持部１３から外さずに本体１内部にコンパクトに収納でき、ベルト１７使用時には容易に直ぐ取り出せ使用性が向上できるものである。
【００４０】
【発明の効果】
以上のように本発明によれば、一般家庭で使用される床移動型かつ肩掛け可能な電気掃除機において、使用性の高い電気掃除機を提供できる。
【図面の簡単な説明】
【図１】本発明の第１の実施例を示す電気掃除機の外観図
【図２】同掃除機本体の側面図
【図３】同電気掃除機本体の正面図
【図４】同掃除機本体の部品斜視図
【図５】同集塵室の断面図
【図６】同電気掃除機の肩掛け使用状態図
【図７】本発明の第２の実施例を示す電気掃除機の部分断面図
【図８】同電気掃除機のベルト収納時における部分断面図
【図９】従来の電気掃除機の肩掛け使用状態図
【符号の説明】
１    本体
２    集塵室
３    吸気口部
５    本体接続部
６    ホース
１１  ２次電池
１２  開口部
１３  肩掛け用ベルト保持部
１４  上本体
１５  下本体
１６  中本体
１７  肩掛けベルト
【図１】
2004215904.tif 000003
【図２】
2004215904.tif 000004
【図３】
2004215904.tif 000005
【図４】
2004215904.tif 000006
【図５】
2004215904.tif 000007
【図６】
2004215904.tif 000008
【図７】
2004215904.tif 000009
【図８】
2004215904.tif 000010
【図９】
2004215904.tif 000011